(57)【要約】【課題】ドア開放時、衝撃を減らすことができるキッチン用ポケットドアを提供する。【解決手段】キッチン家具の前面に固定される支持板２０と、支持板２０の下端部と回動可能に連結され、相互間で所定の収納空間を形成する開閉可能なドア３０と、を備える。支持板２０の前面の一側には、ダンパーハウジング４２が設けられ、ダンパーハウジング４２の内部にはダンパーが設けられている。連結リンク５０の下端部は、ドア３０と回動可能に連結され、上端部はダンパーハウジング４２の内部において上下動可能に設けられている。ドア３０が開放されると、連結リンク５０の上端部が下方に移動し、ダンピング手段４０と接触することにより、ドア３０の開放による衝撃を減らす。【選択図】図１
2008284369.tif 000002
【特許請求の範囲】
【請求項１】
キッチン家具の前面に固定される支持板と、
下端部が前記支持板の下端部と回動可能に連結され、相互間で所定の収納空間を形成する開閉可能なドアと、
前記支持板の前面の一側に設置されるダンピング手段と、
下端部が前記ドアと回動可能に連結されると共に上端部が前記ダンピング手段と連結され、ドア開放時、上端部が下方に移動しながら前記ダンピング手段と接触し、ドア開放による衝撃を減らすように設置される連結リンクと、
を備えることを特徴とするキッチン家具用ポケットドア。
【請求項２】
前記ダンピング手段は、前記ドアの前面に装着され、長手方向にガイド孔が形成され、一側面には前記ガイド孔に連通する長手方向のスロットが形成されたダンパーハウジングと、前記ガイド孔の内部に設置されるダンパーと、を有し、
前記連結リンクの上端部は、前記スロットを介して前記ガイド孔の内部に連結され且つ上下動可能に保持され、ドア開放時、下降しながら前記ダンパーの上面に接触することを特徴とする請求項１に記載のキッチン家具用ポケットドア。
【請求項３】
前記連結リンクは、中間部分が上方に曲げ成形されることを特徴とする請求項２に記載のキッチン家具用ポケットドア。
【請求項４】
前記スロットは、前記ドアの最大開放角を制限可能に一定の長さを有することを特徴とする請求項２に記載のキッチン家具用ポケットドア。
【請求項５】
前記ガイド孔は、前記ダンパーハウジングの前面に形成されることを特徴とする請求項２に記載のキッチン家具用ポケットドア。
【請求項６】
前記ダンパーハウジングは、前記ドアの両側端部の少なくとも一つの前面に取り付けられることを特徴とする請求項２に記載のキッチン家具用ポケットドア。
【請求項７】
前記ダンパーハウジングは、前記ドアの両側面に取り付けられる合成樹脂材の側面部材と一体成形されることを特徴とする請求項２に記載のキッチン家具用ポケットドア。
【請求項８】
前記ダンパーは、シリンダーと、前記シリンダーの内部と連結され、外力により収縮してその外力が除去されると復元するシャフトと、を有し、
前記シャフトの外側に相当する前記ガイド孔に内蔵されるコイルばねを更に有することを特徴とする請求項２に記載のキッチン家具用ポケットドア。
【請求項９】
前記連結リンクの上端部には、回動可能に保持されるボールが設けられ、前記ガイド孔の内部において上下動可能に保持されることを特徴とする請求項２に記載のキッチン家具用ポケットドア。
【請求項１０】
前記ガイド孔は、前記ダンパーハウジングの側面に形成されることを特徴とする請求項２に記載のキッチン家具用ポケットドア。
【請求項１１】
前記連結リンクの上端部には、回動可能に保持されるローラーが設けられ、前記ローラーの外周縁には前記ダンパーハウジングの幅に対応する溝が形成され、
前記ローラーの一部が、前記ダンパーハウジングのガイド孔の内部において上下動可能に保持されることを特徴とする請求項１０に記載のキッチン家具用ポケットドア。
【請求項１２】
前記連結リンクの上端部には、回動可能に保持されるローラーが設けられ、
前記ローラーは、ダンパーハウジングのガイド孔の内部に位置した状態で上下動可能に保持されることを特徴とする請求項８に記載のキッチン家具用ポケットドア。
【請求項１３】
前記ダンパーハウジングのガイド孔の下端部には、調節ボルトが螺合されており、前記調節ボルトの調整により、その上面で保持される前記ダンパーの上下位置が調節可能であることを特徴とする請求項２〜１０のいずれか１項に記載のキッチン家具用ポケットドア。
【請求項１４】
前記ドアの最大開放角を制限するために、前記ドアと前記支持板の両側面の少なくとも一つに設置される二節リンクを更に有することを特徴とする請求項１３に記載のキッチン家具用ポケットドア。
【発明の詳細な説明】
【技術分野】
【０００１】
本発明は、キッチン家具に関し、より詳しくはキッチン家具の前方に装着され、包丁などのキッチン用小品を収納可能に構成されるポケットドアに関する。
【背景技術】
【０００２】
一般にキッチン家具、例えば流し台等には、多数の収納空間が設けられている。このような収納空間には、キッチン用品等が収納されることが一般的である。最近、包丁のようなキッチン用小品を収納するために、ポケットドアがキッチン家具の前面に装着されている。
【０００３】
図６には、一般のキッチン家具のポケットドアが示されている。図示のように、キッチン家具の前面に装着されるポケットドアは、キッチン家具の前面に固定される支持板１０と、支持板１０の下端部と回動可能に連結されるドア１２と、を備えている。ドア１２と支持板１０との間には、たとえ狭くても包丁のようなキッチン用小品を収納可能な空間が設けられる。また、通常、ドア１２は、支持板１０を取り囲む程度の大きさを有しており、前面からみて、実質的にドア１２がポケットドアの全体をなしている。
【０００４】
ドア１２と支持板１０との間の空間には、例えばキッチンで用いられる多様な用途の包丁を整然と保管するように、多数個の包丁を差し込んで保管することができる包丁差し１４が設置される。また、ドア１２は、支持板１０に対して開閉可能に構成され、包丁の危険性を考慮して、閉鎖状態を維持することができるロック装置が設けられることが一般的である。
【０００５】
このようなポケットドアを開放するためには、ロック装置を解除し、ドア１２を下方に引っ張らなければならない。すると、ドア１２はその引張力及び自重により、その下端部（回動軸）を基準として開放されるようになる。この際、ドア１２の最大開放角を制限するために、支持板１０とドア１２の両側面には、１対の二節リンク１６が設けられている。従ってドア１２が開放されると、二節リンク１６は、ドア１２が一定の角度以上開放されないように保持することになる。
【発明の開示】
【発明が解決しようとする課題】
【０００６】
ところで、ドア１２が最大角度まで開放されると、その自重又は開放力により衝撃が支持板１０に加えられることになる。このような開放衝撃は騷音の発生をはじめ、ポケットドアの使用上の不便さを生じるという短所がある。
【０００７】
本発明は、かかる問題点に鑑みなされたものであり、ドア開放時、衝撃を減らすことができるキッチン用ポケットドアを提供することを目的とする。
また、ポケットドアの衝撃を減らすためのダンパーを、容易且つ簡単に装着可能にすることを他の目的とする。
また、ドアの最大開放角を制限すると共に、ダンピング機能を有するポケットドアを提供することを更なる目的とする。
【課題を解決するための手段】
【０００８】
前記の目的を達成するため、本発明によるキッチン用ポケットドアは、キッチン家具の前面に固定される支持板と、前記支持板の下端部と回動可能に連結され、相互間で所定の収納空間を形成する開閉可能なドアと、前記支持板の前面の一側に設置されるダンピング手段と、下端部が前記ドアと回動可能に連結されると共に上端部が前記ダンピング手段と連結され、ドア開放時、上端部が下方に移動しながら、前記ダンピング手段と接触し、ドアの開放による衝撃を減らすように設置される連結リンクと、を備えることを技術的特徴とする。
【０００９】
また、前記ダンピング手段についての実施形態によると、ドアの前面に装着され、長手方向にガイド孔が形成され、一側面には、前記ガイド孔に連通する長手方向のスロットが形成されたダンパーハウジングと、前記ガイド孔の内部に設置されるダンパーと、を有する。そして、連結リンクの上端部は、前記スロットを介して前記ガイド孔の内部に連結され且つ上下動可能に保持され、ドア開放時、下降しながら前記ダンパーの上面に接触するように設置されている。
【００１０】
また、前記ガイド孔は、ダンパーハウジングの前面に形成されてもよく、ダンパーハウジングの側面に形成されてもよい。
また、前記ダンパーハウジングは、前記ドアの両側面の少なくとも一つの前面に取り付けられることが好ましい。
【００１１】
また、本発明の実施形態によると、前記ダンパーハウジングは、前記ドアの両側面に取り付けられる合成樹脂材の側面部材と一体成形されてもよい。又は前記ダンパーハウジングは、アルミニウム等の他の材質で成形され、取り付けられてもよい。
【００１２】
また、前記ドアの最大開放角を制限するために、前記ドアと前記支持板の両側面の少なくとも一つに設置される二節リンクを更に有することも可能である。
また、前記ダンパーは、シリンダーと、前記シリンダーの内部と連結され、外力により収縮してその外力が除去されると復元するシャフトと、を有し、前記シャフトの外側に相当する前記ガイド孔に内蔵されるコイルばねを更に有してもよい。
また、前記連結リンクの上端部には、回動可能に保持されるボールが設けられ、前記ガイド孔の内部において上下動可能に保持されるように構成することが好ましい。
【発明の効果】
【００１３】
本発明によると、キッチン用家具の前面に設置されるポケットドアのドアが開放されるとき、ダンピング機構を設置することにより、ドアの開放時に生じる衝撃及び騒音の発生を抑制することができる。また、このようにキッチン用家具のドアがスムーズに動作することは、実質的に製品の高級化及び機能の多様化を追求・実現する等の長所も期待される。また、本発明によると、ドア及び支持板の一側又は両側面を用いて、ダンピング機構を設置しているので、構造的に簡単であるという長所、及びこれによる生産性の向上の効果も期待することができる。
【発明を実施するための最良の形態】
【００１４】
以下、添付した図面に基づき、本発明の実施形態についてより詳述する。
図１に示すように、本発明によるポケットドアは、キッチン家具（例えば流し台等、図示せず）の前面に装着される支持板２０と、下端部で支持板２０と回動可能に連結されるドア３０と、を備えている。ドア３０の閉鎖状態で、支持板２０とドア３０の相互間の内側には所定の収納空間が形成され、例えば、その内部に多数の包丁を差すことができる包丁差しＫが設けられてもよく、他のキッチン用小品を収納可能に構成されてもよい。
【００１５】
支持板２０は一般に、アルミニウムで作られる本体２２と、本体２２の両側端部に組み込まれ、合成樹脂材で射出成形される側面部材２４と、を有している。また、ドア３０も、アルミニウムで作られる本体３２と、本体３２の両側端部に組み込まれ、合成樹脂材で射出成形される側面部材３４と、を有している。支持板２０はキッチン用家具の前面に締付固定され、ドア３０はその下端部が、支持板２０の下端部と回動可能に連結されることにより、支持板２０との間で形成される収納空間を開閉可能となるように構成される。
【００１６】
側面部材２４と側面部材３４との間には、従来の技術で説明した二節リンクが設けられてもよい。以下、本発明の実施形態の説明において、従来の技術で説明した二節リンクについての説明は省略する。本発明において、二節リンクの構成は、選択的であると言える。即ち、ドア３０の最大開放角を制限するために、二節リンクを設置することも可能である。この場合、後述のように本発明のダンピング機構４０は、ドア開放時、ダンピング機能と、ドアの最大開放角を制限可能な機能を同時に実現することができるので、二節リンクの構成を省略することが好ましい。
【００１７】
本発明において、支持板２０の一側面又は両側面には、ダンピング機構４０が設けられている。また、ダンピング機構４０の下端部は、ドア３０と回動可能に連結される連結リンク５０の上端部と結合されている。
【００１８】
先ず、ダンピング機構４０について、図１〜図４を参照して説明する。本発明のダンピング機構４０は、ダンパーハウジング４２とダンパー６０（図４参照）を有する。ダンパーハウジング４２は射出成形されることが好ましく、ダンパー６０を収容可能なガイド孔４４を有している。ダンパーハウジング４２の一側面（図示した実施形態では正面手前）には、長手方向にスロット４６が形成されており、ガイド孔４４に連通するようになる。スロット４６は、連結リンク５０をダンパーハウジング４２の内部に組込み可能に形成されたものである。スロット４６は、ダンパーハウジング４２において、下方に一定の長さを有するように形成されている。
【００１９】
ダンパーハウジング４２は、支持板３０の両側面に設置されるが、図示の実施形態では、支持板３０の両側面に取り付けられた側面部材２４に設置される。ダンパーハウジング４２は、合成樹脂材で射出成形する場合は、側面部材２４とダンパーハウジング４２を一体に成形することが好ましい。
【００２０】
ダンパーハウジング４２のガイド孔４４の内部には、ダンパー６０が収納されている。ダンパー６０は筒状、好ましくは円筒状のシリンダー６２と、円筒状のシリンダー６２の内部から同軸に外側に延設されたシャフト６４と、を有している。このダンパー６０自体は既に公知のものであるので、詳細な説明を省略し、概略的に説明する。
【００２１】
即ち、シリンダー６２の内部には、粘性を有する流体が入れられており、シャフト６４と連結されるピストン又はプランジャーが設けられている。また、ピストン又はプランジャーは、シリンダー６２の内部から軸方向に移動可能に設置され、上述した流体が所定量ずつピストン又はプランジャーの内部又は外側に沿って流れるようになっている。従って、シリンダー６２又はシャフト６４のいずれか一側に軸方向の外力が加えられると、流体とピストンの相対運動によりダンピング機能が発揮される。また、シリンダー６２の内部にはばねが内蔵されており、圧縮されながらダンピング機能を発揮したダンパー６０はそのばね力により、元の位置（シリンダー及びシャフトが最大に長くなった状態）に戻るようになる。
【００２２】
図示した実施形態では、ガイド孔４４の内部において、シリンダー６２が上方に、シャフト６４が下方に位置して組み込まれている。また、ダンパーハウジング４２の下端部の外周縁には、ネジ山が加工された調節ボルト４８が螺着している。もちろん、ダンパーハウジング４２のガイド孔４４の下端部の内周縁にも、調節ボルト４８が螺合するネジが螺設されている。調節ボルト４８を回転させて位置を調節することにより、実質的にダンパー６０のシリンダー６２の高さを調節することができる。これは、実質的にどの高さ位置で、開放されるドアと接触し始めるかを決定することができるのを意味する。
【００２３】
また、ガイド孔４４の内部において、シャフト６４が組み込まれた部分（シャフト６４の外側に相当する部位）にコイルばね６６を更に設けてもよい。ばね６６は、ドアの衝撃を更に安全に吸収すると共に、ダンパー６０を元の位置に戻す機能も行うことができる。
【００２４】
シリンダー６２の上部には、連結リンク５０の上端部が接触するようになる。即ち、連結リンク５０は、ダンパーハウジング４２の正面に形成されたスロット４６を通じて、ガイド孔４４の内部に入っている状態を維持している。また、連結リンク５０の上端部が、ダンパーハウジング４２から離脱すると、本発明のダンパー機能が行われないので、連結リンク５０の上端部は、ガイド孔４４の内部において上下方向に運動可能に保持されなければならない。図示した実施形態では、連結リンク５０の上端部にボール５２を設置している。ボール５２は、連結リンク５０に回動可能に設けられることにより、上下動をより円滑にガイドすることができる。
【００２５】
また、連結リンク５０の下端部は、ドア３０とは支持軸３８を中心として回動可能に連結されている。
【００２６】
上述した本発明の説明において、ダンパーハウジング４２のスロット４６は、正面に成形されているものと説明したが、これに限定されるものではない。例えばスロット４６は、ダンパーハウジング４２の外側面又は内側面のような側面に形成されることも可能である。この場合は、連結リンク５０の形状も、スロット４６の位置に応じて変更される。
【００２７】
また、図示した実施形態において、連結リンク５０は直線状ではなく、その中間部分が適度に曲げられた形状のものとして示されている。しかし、連結リンク５０は、その下端部がドア３０に回動可能に連結され、上端部がダンパーハウジング４２の内部において上下動可能な範囲内で、様々な変形が可能であることは言うまでもない。
【００２８】
次に、本発明によるポケットドアのダンピング作用について説明する。
図２は、ポケットドアのドア３０の閉鎖状態を、また図３は、ドア３０の開放状態を示している。図示のようにドア３０の閉鎖状態では、ドア３０が直立状態を維持しており、図示していないロック装置により支持板３０に締め付けられた状態である。このような状態で連結リンク５０の上端部は、ガイド孔４４の内部において最上部に位置している。
【００２９】
ロック装置を解除し、ドア３０を前方に引っ張ると、ドアが開放されることになる。ドア３０が開放されると、ドア３０の回動軸Ｄｓを中心として図３において反時計方向に回転する。すると、連結リンク５０の上端部、即ちボール５２は下降するようになり、一定水準位置まで下降すると（最大開放角の直前）、ボール５２はダンパー６０のシリンダー６２と接触するようになる。シリンダー６２がボール５２により押圧されると、シリンダー６２も下降しながら圧縮され、このような過程によりダンピング過程が進行する。
【００３０】
また、このようなダンピング過程が徐々に進行するので、ドア３０の開放速度が減少した状態でドア３０が最大に開放されるようになる。ドア３０が最大に開放されると、図３に示すように、ダンパー６０が最大に圧縮された状態となる。また、このような状態は、ドア３０の最大開放角が制限された状態である。このようにドア３０の最大開放角を制限することは、実質的にダンパーアセンブリーの最大収縮能力とも関係するが、スロット４６の長さを制限することによっても、最大開放角を制限することが可能である。即ち、連結リンク５０がスロット４６の下端部に当接すると、これ以上ドア３０が開放されないように構成することも可能である。
【００３１】
このようなドア３０の開放状態で、内部に収納されているキッチン用小品、例えば包丁等を出し入れすることができる。
また、ポケットドアの使用が終わり、ドア３０を閉鎖すると、図２に示した状態となる。すると、ダンパー６０は、シリンダー６２の内部に内蔵されたばね又はコイルばね６６の復元力により、圧縮状態から再び伸脹して、図２に示した元の状態に戻る。
【００３２】
次に、図５に基づき、本発明の他の実施形態について説明する。この実施形態は、ダンパーハウジングのスロットを外側面に成形している例である。
図示のようにこの実施形態のダンピング機構７０は、支持板２０の両側端部の前面に設けられている。ダンピング機構７０は、ダンパーハウジング７２と、ダンパーハウジング７２の内部に設置されたダンパーとで構成されるが、このダンパー自体は、上述した実施形態と同一であるので、その説明を省略する。
【００３３】
ダンパーハウジング７２は、支持板２０の両側端部の前面に設けられる。ダンパーハウジング７２の中心には、上下方向にガイド孔７４が形成されている。また、ダンパーハウジング７２の外側面には、長手方向のスロット７６が形成されており、スロット７６は、ガイド孔７４に連通している。
【００３４】
また、連結リンク５０の下端部は、ドア３０の下端部と回動可能に連結される。連結リンク５０の上端部は、最終的にダンパーハウジング７２の内部において昇下降可能に保持される。
【００３５】
この実施形態において、連結リンク５０の上端部には、ローラー７８が回動可能に連結されている。ローラー７８の外周縁には、所定の幅を有する溝７８ａが成形されている。溝７８ａは、ダンパーハウジング７２の幅ｔ（板厚）に対応する寸法を有して結合されている。従って、溝７８ａを基準としてその一部は、ダンパーハウジング７２のガイド孔７４の内部で保持されながら、昇下降可能になる。ここで、溝７８ａは、ローラー７８をガイド孔７４の内部において正確に上下動させるためのものであり、ダンパーハウジング７２のスロット７６部分に沿って正確に上下動可能なように構成されている。
【００３６】
このような実施形態以外にも、連結リンク５０の上端部に回動可能に設置されるローラー７８の全体が、ガイド孔７４の内部に収納された状態で、上下動するように構成することも可能である。
この実施形態でも、ドア３０の開閉に従って、ローラー７８がガイド孔７４の内部において昇下降しながら、所定のダンピング機能を発揮するのは、上述した実施形態と同様である。この実施形態では、連結リンク５０がダンパーハウジング７２の側面に設けられている。ここで、図示の実施形態では、ダンパーハウジング７２の外側面にスロット７６を成形し、連結リンク５０を介して連結している。なお、スロット７６をダンパーハウジング７２の内側面に設置してもよい。
【００３７】
上述したように本発明によれば、ポケットドアにダンピング機構を装着することにより、ドア３０が最大に開放されたときの衝撃を吸収し、騷音の発生を防止し、衝撃による損傷を防止するように構成することを基本的な技術的思想とする。
このような本発明の基本的な技術的思想の範疇内で、当業界の通常の知識を有する者にとっては、他の様々な変形が可能であることは言うまでもなく、本発明は、特許請求の範囲に基づいて解釈されなければならないのは自明である。
【図面の簡単な説明】
【００３８】
【図１】本発明によるポケットドアを示す要部斜視図である。
【図２】本発明によるポケットドアの閉鎖状態を示す断面図である。
【図３】本発明によるポケットドアの開放状態を示す断面図である。
【図４】本発明に用いられるダンパーを示す図である。
【図５】本発明による他の実施例を示す要部斜視図である。
【図６】従来のポケットドアを示す斜視図である。
【符号の説明】
【００３９】
２０  支持板
２２，３２  本体
２４，３４  側面部材
３０  ドア
３８  支持軸
４０  ダンピング機構
４２  ダンパーハウジング
４４  ガイド孔
４６  スロット
５０  連結リンク
６２  シリンダー
６４  シャフト
６６  コイルばね
７２  ローラー
７４  溝
ＤＳ  回動軸
Ｋ    包丁差し
【図１】
2008284369.tif 000003
【図２】
2008284369.tif 000004
【図３】
2008284369.tif 000005
【図４】
2008284369.tif 000006
【図５】
2008284369.tif 000007
【図６】
2008284369.tif 000008